(57)【要約】【課題】変圧器に供給される電力の一部を分岐用絶縁電線を介して外部の増設盤へ分岐する際に、分岐用絶縁電線と高圧配線との接続部位でアークが発生しても、外箱内部に収納された機器に悪影響を与えることがない受配電設備を提供する。【解決手段】受配電設備１は、外部からの高圧線３１が接続される高圧遮断器１１と、高圧遮断器１１を介して供給される電圧を所定電圧に変圧する変圧器１２ａ，１２ｂと、変圧器１２ａ，１２ｂと負荷との間に設けられた配線用遮断器１３と、各遮断器１１，１３および変圧器１２ａ，１２ｂを収納した外箱１０を備える。そして、高圧遮断器１１と変圧器１２ａ，１２ｂとの間の電路から分岐された分岐用絶縁電線３３と、分岐用絶縁電線３３に接続されて増設盤２に電力を送電するための高圧配線３４との接続部位が外箱１０の外側壁に配置され、当該接続部位を覆うケーブル接続用箱体１８を外箱１０に設けてある。【選択図】図１
2009077493.tif 000002
【特許請求の範囲】
【請求項１】
外部からの高圧線が接続され前記高圧線に異常電流が流れると前記高圧線を遮断する高圧遮断器と、高圧遮断器を介して供給される電圧を所定電圧に変圧する変圧器と、変圧器により変圧された電圧を負荷に供給するとともに負荷側で異常電流が流れると負荷への給電を遮断する配線用遮断器と、高圧遮断器、変圧器および配線用遮断器を内部に収納した外箱とを備え、
高圧遮断器と変圧器との間の電路から分岐されて、高圧遮断器から変圧器に供給される電力の一部を分岐するための分岐用絶縁電線と、当該分岐用絶縁電線に電気的に接続されて外箱の外部に電力を送電するための高圧配線とを設け、
分岐用絶縁電線と高圧配線との接続部位を前記外箱の外側壁に配置し、前記接続部位を覆うケーブル接続用箱体を設けたことを特徴とする受配電設備。
【請求項２】
前記ケーブル接続用箱体から外部に導出される高圧配線が内部に通されるケーブル保護管を、ケーブル接続用箱体に取り付けたことを特徴とする請求項１記載の受配電設備。
【請求項３】
前記分岐用絶縁電線と前記高圧配線との接続部位を、分岐用絶縁電線において絶縁被膜の除去された導電部で支持する支持碍子が、前記外箱の外側壁に設けられたことを特徴とする請求項１又は２記載の受配電設備。
【発明の詳細な説明】
【技術分野】
【０００１】
本発明は、変圧器及び配線用遮断器等を備えた受配電設備に関するものである。
【背景技術】
【０００２】
従来、工場や店舗などの事業所では需要家が電気事業者から受電するために用いる受配電設備が設置されていた（例えば特許文献１参照）。
【０００３】
受配電設備は、外部から引き込んだ高圧線が接続され、短絡事故等が発生した際に高圧線を遮断（すなわち高圧電力の受電を遮断）する高圧遮断器と、高圧遮断器を介して供給される電圧をより低い所定の電圧に変圧する変圧器と、外部に設置される負荷機器と変圧器との間の電路に設けられ、負荷側で短絡事故等が発生した際に負荷への給電を遮断する配線用遮断器とを備え、変圧器により変圧された電圧を配線用遮断器を介して負荷機器に供給するようになっている。そして、このような受配電設備では、高圧遮断器と変圧器と配線用遮断器とを１つの外箱に収納して構成されている。
【特許文献１】特開平１１−９８６２１号公報（段落［０００２］−［０００５］、及び、第１１図、第１２図）
【発明の開示】
【発明が解決しようとする課題】
【０００４】
ところで、工場の増築や生産ラインの追加が発生した場合や店舗の増床が発生した場合には、受配電設備の変圧器や配線用遮断器を増設する必要があるが、変圧器や配線用遮断器は大型のため、既設の受配電設備の外箱内に増設分を収納しきれない場合があった。このような場合に、既設の受配電設備に隣り合わせて、高圧遮断器、変圧器および配線用遮断器を内蔵した新規の受配電設備を増設することが考えられるが、事業所内に受配電設備を増設するのに必要な空きスペースが無い場合があった。
【０００５】
そこで、既設の受配電設備に隣り合わせて変圧器と配線用遮断器のみを収納した増設盤を増設し、既設の受配電設備の高圧遮断器と変圧器との間の電路から、変圧器に送電する電力の一部を分岐させる分岐用絶縁電線を分岐させ、既設の受配電設備の外箱内部でこの分岐用絶縁電線に高圧配線の一端を接続するとともに、外箱の外側壁に設けた貫通孔から高圧配線を外部に導出し、この高圧配線を増設盤の内部に導入して、増設盤内部の変圧器に接続していた。
【０００６】
しかしながら、既設の受配電設備と増設盤との間を上述のような方法で接続した場合、地絡や短絡などの原因となりやすい分岐用絶縁電線と高圧配線との接続部位が外箱の内部に配置されるため、地絡や短絡などが発生した際に上記接続部位で発生したアークが外箱内部に収納された機器（例えば高圧遮断器や変圧器など）に悪影響を与える可能性もあった。
【０００７】
本発明は上記問題点に鑑みて為されたものであり、その目的とするところは、変圧器に供給される電力の一部を分岐用絶縁電線を介して外部の増設盤へ分岐する際に、分岐用絶縁電線と高圧配線との接続部位でアークが発生しても、外箱内部に収納された機器に悪影響を与えることがない受配電設備を提供することにある。
【課題を解決するための手段】
【０００８】
上記目的を達成するために、請求項１の発明は、外部からの高圧線が接続され高圧線に異常電流が流れると高圧線を遮断する高圧遮断器と、高圧遮断器を介して供給される電圧を所定電圧に変圧する変圧器と、変圧器により変圧された電圧を負荷に供給するとともに負荷側で異常電流が流れると負荷への給電を遮断する配線用遮断器と、高圧遮断器、変圧器および配線用遮断器を内部に収納した外箱とを備え、高圧遮断器と変圧器との間の電路から分岐されて、高圧遮断器から変圧器に供給される電力の一部を分岐するための分岐用絶縁電線と、当該分岐用絶縁電線に電気的に接続されて外箱の外部に電力を送電するための高圧配線とを設け、分岐用絶縁電線と高圧配線との接続部位を外箱の外側壁に配置し、接続部位を覆うケーブル接続用箱体を設けたことを特徴とする。
【０００９】
請求項２の発明は、請求項１の発明において、ケーブル接続用箱体から外部に導出される高圧配線が内部に通されるケーブル保護管を、ケーブル接続用箱体に取り付けたことを特徴とする。
【００１０】
請求項３の発明は、請求項１又は２の発明において、分岐用絶縁電線と高圧配線との接続部位を、分岐用絶縁電線において絶縁被膜の除去された導電部で支持する支持碍子が、外箱の外側壁に設けられたことを特徴とする。
【発明の効果】
【００１１】
請求項１の発明によれば、分岐用絶縁電線と高圧配線とを外箱の外部で接続しているので、短絡時などに分岐用絶縁電線と高圧配線との接続部位でアークが発生したとしても、発生したアークが外箱の内部に収納された高圧遮断器や変圧器などに悪影響を与えるのを防止できるという効果がある。しかも、分岐用絶縁電線と高圧配線との接続部位がケーブル接続用箱体によって覆われているので、風雨によって地絡や短絡などが発生する虞れを低減できるという効果もある。
【００１２】
請求項２の発明によれば、ケーブル接続用箱体に取り付けられたケーブル保護管に高圧配線を通すことで、高圧配線が外部に露出するのを防止できるので、地絡や短絡などが発生する虞をさらに低減できるという効果がある。
【００１３】
請求項３の発明によれば、外箱の外側壁に設けた支持碍子によって、分岐用絶縁電線の絶縁被膜が除去された部位を支持しているので、絶縁被膜が除去された部位と外側壁との間を確実に離すことができ、外側壁が雨などで濡れている場合でも短絡や地絡などが発生するのを防止できるという効果がある。
【発明を実施するための最良の形態】
【００１４】
以下に本発明の実施の形態を図面に基づいて説明する。
【００１５】
図１は、本発明に係るキュービクル式受配電設備１と、受配電設備１を介して電力の送電を受ける増設盤２とを用いた受配電システムの概略的な結線図である。ここにおいて、受配電設備１は、電気事業者側から供給される高圧電力を変圧（降圧）して、図示しない負荷回路に配電するとともに、電気事業者側から供給される電力の一部を、当該受配電設備１に隣り合わせて増設された増設盤２へ送電するものである。
【００１６】
受配電設備１は、外部からの高圧線３１が接続され、高圧線３１に短絡電流や地絡電流などの異常電流が流れると当該高圧線３１を遮断（すなわち内蔵する接点を開極させることによって、高圧電力の受電を遮断）する高圧遮断器１１と、高圧遮断器１１を介して供給される電圧を所定電圧に変圧する変圧器１２ａ，１２ｂと、変圧器１２ａ，１２ｂにより変圧された電圧を負荷（図示せず）に供給するとともに、負荷側で異常電流が流れると負荷への給電を遮断する複数台の配線用遮断器１３とを備え、これらの高圧遮断器１１、変圧器１２ａ，１２ｂおよび配線用遮断器１３は外箱１０の内部に収納されている。なお、外部から引き込まれた高圧線３１と高圧遮断器１１との間には電力需給用計器用変成器ＶＣＴが接続され、電力需給用計器用変成器ＶＣＴの出力から電力量を測定する電力量計ＷＨが設けられている。
【００１７】
そして、高圧遮断器１１と変圧器１２ａ，１２ｂとの間を電気的に接続する高圧配線３２からは分岐用絶縁電線３３が分岐されている。この分岐用絶縁電線３３は、高圧遮断器１１から変圧器１２ａ，１２ｂに供給される電力の一部を分岐するために設けられ、分岐用絶縁電線３３に電気的に接続された高圧配線３４を介して増設盤２に電力が送電されるようになっている。
【００１８】
一方、受配電設備１から電力の送電を受ける増設盤２は、外部から引き込まれた高圧配線３４に接続される高圧配線３６と、高圧配線３４，３６を介して供給される電圧を所定電圧に変圧（降圧）する変圧器２１と、変圧器２１により変圧された電圧を負荷（図示せず）に供給するとともに、負荷側で異常電流が流れると負荷への給電を遮断する複数台の配線用遮断器２２とを備え、これらの変圧器２１および配線用遮断器２２が増設盤２の外箱２０内に収納されている。
【００１９】
次に、受配電設備１および増設盤２の構造を図２〜図４に基づいて説明する。
【００２０】
受配電設備１の外箱１０は、図２（ａ）（ｂ）に示すように、前面および後面が開口した金属製の箱体１０ａと、箱体１０ａの前面側を開閉自在に覆う金属製の扉１０ｂと、箱体１０ａの後面側を開閉自在に覆う金属製の扉１０ｃとで構成され、この外箱１０内に上述の高圧遮断器１１や変圧器１２ａ，１２ｂや配線用遮断器１３などが収納されている。そして、受配電設備１から増設盤２に対して電力を送電するため、上述した分岐用絶縁電線３３を外箱１０の外部に導出するのであるが、本実施形態では図２及び図３に示すように箱体１０ａの外側壁（右側面）に、分岐用絶縁電線３３に送電用の高圧配線３４を接続するためのフィーダユニット１４が設けられている。
【００２１】
フィーダユニット１４は、図３（ａ）（ｂ）に示すように、箱体１０ａの側面に開口する３個の通線用孔１０ｄの外側に配置され、通線用孔１０ｄを通して外部に導出された分岐用絶縁電線３３を支持する電線支持具１５と、３個の通線用孔１０ｄの下側に左右方向に並べて配置された支持碍子１６と、支持碍子１６の下方位置に配置されて高圧配線３４の外被の先端を支持する電線支持具１７と、一面が開口した略箱状であって、電線支持具１５，支持碍子１６，電線支持具１７を覆うようにして箱体１０ａの外側面に取着される金属製のケーブル接続用箱体１８とを備えている。なお、ケーブル接続用箱体１８の下側面に開口する開口孔１８ａにはケーブル保護管３５の一端側が挿通された状態で固定されており、ケーブル接続用箱体１８の内部とケーブル保護管３５の内部とが連通している。
【００２２】
図３（ａ）（ｂ）は、高圧配線３４を支持碍子１６に支持させる前の状態を示し、結線作業の完了時には高圧配線３４が支持碍子１６に対して適宜の方法で固定され、高圧配線３４と分岐用絶縁電線３３との接続部位が支持碍子１６によって支持されている。ここで、フィーダユニット１４の内部で分岐用絶縁電線３３と高圧配線３６とを接続するにあたっては、３本の分岐用絶縁電線３３を通線用孔１０ｄに通して箱体１０ａの外部に導出するとともに、分岐用絶縁電線３３を電線支持具１５に支持させた後、各分岐用絶縁電線３３の先端側であって、絶縁被膜が除去された各々の導体３３ａに取着された銅板からなる接続端子片３３ｂを支持碍子１６に支持させる。一方、ケーブル保護管３５の内部には高圧配線３４が挿通されており、ケーブル保護管３５から導出された高圧配線３４の外被の先端部を電線支持具１７によって支持させた後、高圧配線３４の３本の芯線３４ａを、それぞれ、支持碍子１６にねじなどで固定することで、分岐用絶縁電線３３と高圧配線３４とが電気的に接続されている。そして、外箱１０の外側壁に、電線支持具１５、支持碍子１６および電線支持具１７を覆うようにしてケーブル接続用箱体１８を適宜の方法で固定することで、分岐用絶縁電線３３と高圧配線３４との接続部位がケーブル接続用箱体１８によって覆われる。なお、ケーブル接続用箱体１８は、箱体１０ａとの接触部位にパッキンなどのシール部材が介装されて、箱体１０ａとの間の隙間がシールされており、ケーブル接続用箱体１８の内部に水や埃などが入り込むのを防止している。
【００２３】
一方、増設盤２の外箱２０は、図４（ａ）（ｂ）に示すように、前面が開口した金属製の箱体２０ａと、箱体２０ａの前面側を開閉自在に覆う金属製の扉２０ｂとで構成され、この外箱２０の内部に増設分の変圧器２１や配線用遮断器２２が収納されている。そして、外箱２０の外側面には、受配電設備１からの高圧配線３４と、変圧器２１に一端側が接続された高圧配線３６の他端側との間を電気的に接続するフィーダユニット２３が設置されており、ケーブル保護管３５を通してフィーダユニット２３内に導入された上記高圧配線３４の他端側が、フィーダユニット２３内で高圧配線３６と電気的に接続され、受配電設備１から増設盤２に対して電力が送電されるのである。
【００２４】
以上説明したように本実施形態の受配電設備１では、高圧線３１を介して供給される電力の一部を分岐するための分岐用絶縁電線３３と、分岐用絶縁電線３３に接続されて増設盤２に電力を送電するための高圧配線３４とを接続する接続部位が外箱１０の外部に配置されているので、短絡時や地絡時などに分岐用絶縁電線３３と高圧配線３４との接続部位でアークが発生したとしても、発生したアークが外箱１０の内部に収納された高圧遮断器１１や変圧器１２などに悪影響を与えるのを防止できるという効果がある。しかも、外箱１０の外部に配置される分岐用絶縁電線３３と高圧配線３４との接続部位が、ケーブル接続用箱体１８によって覆われているので、風雨によって地絡や短絡などが発生する虞れを低減することができる。また、外箱１０の外側壁（箱体１０ａの側面）に設けた支持碍子１６によって、分岐用絶縁電線３３の絶縁被膜が除去された部位（すなわち接続端子片３３ｂが結線された分岐用絶縁電線３３の先端部）を支持しているので、絶縁被膜が除去された部位と外箱１０の外側壁との間の距離を確実に広げて、絶縁距離を確保することができ、外側壁が雨などで濡れたとしても短絡や地絡などが発生するのを防止することができる。
【００２５】
また、受配電設備１から増設盤２へ電力を送電するために用いられる高圧配線３４は、フィーダユニット１４，２３のケーブル接続用箱体１８，２４に両端が取り付けられたケーブル保護管３５内に挿通されているので、高圧配線３４が外部に露出するのを防止することができ、高圧配線３４に水などがかかることがなく、地絡や短絡などが発生する虞をさらに低減することができる。
【図面の簡単な説明】
【００２６】
【図１】本実施形態の受配電設備および増設盤の結線図である。
【図２】（ａ）は同上の正面図、（ｂ）は同上の右側面図である。
【図３】同上のフィーダユニットを示し、（ａ）は正面から見た断面図、（ｂ）は側断面図である。
【図４】同上に隣接して配置される増設盤を示し、（ａ）は正面図、（ｂ）は左側面図である。
【符号の説明】
【００２７】
１  受配電設備
２  増設盤
１１  高圧遮断器
１２ａ，１２ｂ  変圧器
１３  配線用遮断器
１４  フィーダユニット
１８  ケーブル接続用箱体
３１  高圧線
３３  分岐用絶縁電線
３４  高圧配線
【図１】
2009077493.tif 000003
【図２】
2009077493.tif 000004
【図３】
2009077493.tif 000005
【図４】
2009077493.tif 000006